Podtech/llm-jp-corpus-v4-ja_patent huggingface dataset:
(57)【要約】      （修正有）【課題】時刻を漢字などの表示により、だいたいの時刻・時間を表示する時計を提供する。【解決手段】分表示を漢字にし、前後、前半、判頃、後半と表示することで、おおよその時刻・時間を表示し、時間に追われることをなくした。現代社会に於いて、分単位で時間に追われていることが多いため、休日などは時間に縛られずにだいたいの時刻・時間で余暇を楽しく過ごす事とファッション性も重視した。【選択図】図１
0003148618.tif 000002
【実用新案登録請求の範囲】
【請求項１】
一般的な、デジタル時計をスイッチにより、漢字などの文字で表示し、おおよその時刻・時間を表示することを特徴とする時計。
【考案の詳細な説明】
【技術分野】
【０００１】本考案は、時刻を漢字などの表示により、だいたいの時刻・時間を表示する時計である。
【背景技術】
【０００２】現代社会に於いて、分単位で時間に追われていることが多いため、休日などは時間に縛られずにだいたいの時刻・時間で余暇を楽しく過ごす事とファッション性も重視した。
【考案の開示】
【考案が解決しようとする課題】
【０００３】硬い数字で何時何分と表示されることより、やわらかい文字で大まかな時刻を表示することを課題にした。
【課題を解決するための手段】
【０００４】以上の課題を解決するために分表示を数字でなく、漢字で、前後（５６分〜０５分）、前半（０６分〜２５分）、判頃（２６分〜３５分）、後半（３６分〜５５分）とおおよその時刻・時間を表示することを特長とする時計にした。
【考案の効果】
【０００５】以上の事を踏まえて開発した、だいたい時刻時計は、ファッション性に優れなお細かな分単位の時間を気にしない、だいたい時刻時計（（公序良俗違反につき、不掲載））となった。
【考案を実施するための最良の形態】
【０００６】特に形状には特徴がないが、文字盤上の分表示を、数字から漢字に切り替えて表示した。
【実施例】
【０００７】文字盤の分の部分を漢字２文字で、前後、前半、判頃、後半と縦書きで表示することで、大変見やすく、細かい分単位の時間を気にしなくても好くなった。
【図面の簡単な説明】
【０００８】
【図１】本考案のおおよそ時刻時計の正面図である。
【図２】だいたい時刻時計の分表記
【符号の説明】
【０００９】  Ａ  モード切り替えボタン（一般表示からおおよそ表示）
Ｂ  時刻設定ボタン
Ｃ  バックライトボタン
【図１】
0003148618.tif 000003
【図２】
0003148618.tif 000004
【手続補正書】
【提出日】平成20年11月28日(2008.11.28)
【手続補正１】
【補正対象書類名】実用新案登録請求の範囲
【補正対象項目名】全文
【補正方法】変更
【補正の内容】
【実用新案登録請求の範囲】
【請求項１】
デジタル時計をスイッチにより、漢字などの文字で表示し、おおよそ時刻・時間を表示することを特徴とする時計。
【手続補正３】
【補正対象書類名】明細書
【補正対象項目名】０００５
【補正方法】変更
【補正の内容】
【０００５】以上の事を踏まえて開発した、だいたい時刻時計は、ファッション性に優れなお細かな分単位の時間を気にしない、だいたい時刻時計となった。
【手続補正５】
【補正対象書類名】図面
【補正対象項目名】図１
【補正方法】変更
【補正の内容】
【図１】
0003148618.tif 000005
【手続補正２】
【補正対象書類名】明細書
【補正対象項目名】０００４
【補正方法】変更
【補正の内容】
【０００４】以上の課題を解決するために分表示を数字でなく漢字で、前後（５６分〜０５分）、前半（０６分〜２５分）、半頃（２６分〜３５分）、後半（３６分〜５５分）と、おおよその時刻・時間を表示することを特徴とする時計にした。
【手続補正４】
【補正対象書類名】明細書
【補正対象項目名】０００７
【補正方法】変更
【補正の内容】
【０００７】文字盤の分の部分を漢字２文字で、前後、前半、半頃、後半と縦書きで表示することで、大変見やすく、細かい分単位の時間を気にしなくても好くなった。
(57)【要約】【課題】  屋内、車内でのソファー上やシート上等においての使用に適する適宜な使用態様に応じて、接合一体化して一個のクッションとしても、或いはまた、分離して二個のクッションとしても使用し得る形態変化可能な利便性、興趣に優れる新規構造のクッションを提供することを目的とする。【解決手段】クッション材を内包してなる一対のクッション体１、２をスライドファスナー等の係着具３を介在して相互に背合わせ状に接合分離自在に構成したことを特徴とする。【選択図】  図１
0003148685.tif 000002
【実用新案登録請求の範囲】
【請求項１】
クッション材を内包してなる一対のクッション体１、２をスライドファスナー等の係着具３を介在して相互に背合わせ状に接合分離自在に構成したことを特徴とするクッション。
【請求項２】
前記一対のクッション体１、２が同形同大である請求項１に記載のクッション。
【請求項３】
前記一対のクッション体１、２における相互の背面側を平坦面に成形すると共に該背面側にゴム製の滑り止め４を点在させてなる請求項１又は請求項２に記載のクッション。
【考案の詳細な説明】
【技術分野】
【０００１】
本考案は、屋内、車内でのソファー上やシート上等において、背もたれ、枕、座布団等として使用し得るクッションに関するものである。
【背景技術】
【０００２】
従来のこの種のクッションは、クッション材を内包してなる枕状乃至座布団状等の単一の固定された形状を呈するのが一般的であり、形態上の変化を与えることはできない構成であることから、利便性、興趣に欠けるという問題点があった。
【特許文献１】特開２００２−３５５１６５号公報
【考案の開示】
【考案が解決しようとする課題】
【０００３】
本考案は、如上の問題点に鑑みてこれを解決すべく案出したものであって、屋内、車内でのソファー上やシート上等においての使用に適する適宜な使用態様に応じて、接合一体化して一個のクッションとしても、或いはまた、分離して二個のクッションとしても使用し得る形態変化可能な利便性、興趣に優れる新規構造のクッションを提供することを目的とするものである。
【課題を解決するための手段】
【０００４】
本考案に係るクッションは、クッション材を内包してなる一対のクッション体をスライドファスナー等の係着具を介在して背合わせ状に接合分離自在に構成したことを最も主要な特徴とするものである。
【考案の効果】
【０００５】
本考案に係るクッションは、クッション材を内包してなる一対のクッション体をスライドファスナー等の係着具の係脱操作によってきわめて手軽に接離自在とすることができることから、適宜に接合一体化して一個のクッションとして、或いはまた、分離して二個の各々のクッションとしても使用し得て、使用態様に応じて形態変化を可能とする利便性、興趣に優れたクッションとなす優れた実用的効果を有する。
【考案を実施するための最良の形態】
【０００６】
本考案は、クッション材を内包してなる一対のクッション体をスライドファスナー等の係着具を介在させることによって、係着具の係脱操作によってきわめて手軽に一対のクッション体を適宜に接合一体化して一個のクッションとなし、或いはまた、分離して二個のクッションとなし得る形態変化可能とするクッションを実現したものである。
【実施例１】
【０００７】
以下に、本考案を図示する実施例に基づいて説明すると、本考案に係るクッションは、適宜なスポンジ等のクッション材を内包してなる一対のクッション体１、２をスライドファスナー等の係着具３を介在して背合わせ状に接合分離自在に構成している。
【０００８】
上記の一対のクッション体１、２は、その両者が背合わせ状に接合一体化し得るよう相互に接合させるその背面側は両者適合し得る寸法に設定することを必須とし、その表面側の形状については任意である。しかしながら、一対のクッション体１、２におけるその両者を同形同大に構成すれば、接合一体化した状態での全体形状が纏まりあるものとなり易いと共に製作コストを抑え得、経済的である等の効果を得ることができる。
【０００９】
また、上記の一対のクッション体１、２は、相互に接合するその背面側は平坦面に成形して両者が接合し易い形状とすること、更にまた、当該背面側にはその相互接合時の密着一体性を高め得るようにゴム製の滑り止め４を点在させる等の手段を設けること等が望ましい。
【００１０】
そして、一対のクッション体１、２における相互に接合する各々の背面側の外周縁にスライドファスナー等の係着具３を設けており、該係着具３をもって一対のクッション体１、２の両者を適宜に背合わせ状に接合一体化して一個のクッションとすることも、或いはまた、スライドファスナー等の係着具３を解除して一対のクッション体１、２を相互に分離して二個のクッションとすることも当該スライドファスナー等の係着具３におけるスライダー５のスライド操作によってきわめて簡便に実行することができる。
【００１１】
また、本実施例においては、一対のクッション体１、２は、円形ドーナツ状をもって図示しているが、当該形状に限定されるものではなく、その形状は任意に設定し得るものである。
【００１２】
上記の如き構成になる本考案に係るクッションは、クッション材を内包してなる同形同大等の一対のクッション体１、２をスライドファスナー等の係着具３の係脱操作によってきわめて手軽に接離自在とすることができる。これにより、一対のクッション体１、２を適宜に接合一体化して一個のクッションとして、或いはまた、一対のクッション体１、２を相互に分離して二個の各々のクッションとしても使用し得るものであって、使用態様に応じて形態変化を可能とする利便性、興趣に優れた実用的効果を奏する。
【図面の簡単な説明】
【００１３】
【図１】本考案に係るクッションの実施例を示す正面図である。
【図２】同分離状態の正面図である。
【図３】同平面図である。
【図４】同背面図である。
【符号の説明】
【００１４】
１    クッション体
２    クッション体
３    スライドファスナー等の係着具
４    滑り止め
５    スライダー
【図１】
0003148685.tif 000003
【図２】
0003148685.tif 000004
【図３】
0003148685.tif 000005
【図４】
0003148685.tif 000006
(57)【要約】      （修正有）【課題】プラスチックの髪止め具の内側に熱良導体を接合する事により、熱良導体が髪に接する温度をあげて早く髪をセットでき、外側を熱を伝えにくいプラスチックで作ることにより、セット中のヤケドの危険性を少なくする事ができるヘアカーラーの髪の止め具を提供する。【解決手段】ヘアカーラーを主として、髪をまきつける芯、髪をまきつけた該芯を固定するための止め具で構成し、該止め具をプラスチックで製作し、その内面の髪が当る部分に熱良導体を接合する。【選択図】図１２
0003148636.tif 000002
【実用新案登録請求の範囲】
【請求項１】
髪をセットするのに用いるヘアカーラーの髪の止め具で、外側がプラスチックで、カーラーに巻いた髪に接する内側に熱良導体を接合したもの。
【考案の詳細な説明】
【技術分野】
【０００１】本考案は頭髪を巻いてカールさせるのためのヘアカーラーに関するものである。
【背景技術】
【０００２】従来のヘアカーラーの髪の止め具は〔図１〕のように全体がプラスチックか〔図２〕のように全体が熱良導体でできている。
【考案の開示】
【考案が解決しようとする課題】
【０００３】従来のヘアカーラーの髪の止め具〔図１〕はプラスチックでできているため、直接髪に熱を伝えにくいのでセットに時間がかかる。ヘアカーラーの髪の止め具〔図２〕は熱良導体でできているので、髪に直接熱を伝えるのでセットが早いが、熱良導体が、手や頭皮に触れて、ヤケドの危険性がある。
【課題を解決するための手段】
【０００４】〔図９〕のように外側のプラスチックで内側に熱良導体を接合したヘアカーラーの髪の止め具を提供する。
【考案の効果】
【０００５】〔図９〕〔図１２〕のように外側が熱を伝えにくいプラスチックで、内側が熱良導体で、これが直接髪に触れている。熱良導体は内側のみにあり、外側はプラスチックで覆われているので直接手や頭皮に触れる事はない。ヘアドライヤーの熱を熱良導体が髪に直接伝え、早く髪をセットする。外側は熱を伝えにくいプラスチックで、熱くならないのでヤケドの危険性が少なくなる。
【実施例】
【０００６】〔図９〕〔図１０〕が本考案で、毛髪が直接、熱良導体に接しているのがわかる。また外側はプラスチックで、直接熱良導体に触れる事がない。
【産業上の利用可能性】
【０００７】ヘアカーラーに髪を巻いてセットする際に〔図１〕のプラスチック製の髪止め具に比べて、ヘアドライヤーをかける時間が短縮され、省エネルギーになる。また〔図２〕の熱良導体の髪止め具に比べて、ヤケドの恐れが少なくなる。
【図面の簡単な説明】
【０００８】
【図１】従来のプラスチックの髪止め具。
【図２】従来の熱良導体の髪止め具。
【図３】髪をまきつける芯。
【図４】従来のプラスチックの髪止め具で髪を止めた状態。
【図５】従来の熱良導体の髪止め具で髪を止めた状態。
【図６】従来のプラスチックの髪止め具の片側を内側から見たもの。
【図７】従来の熱良導体の髪止め具の片側を内側から見たもの。
【図８】本考案の髪止め具の片側を内側から見たもの。
【図９】本考案の髪止め具で髪を止めた状態。
【図１０】〔図４〕の髪を止めた状態を側面から見たもの。
【図１１】〔図５〕の髪を止めた状態を側面から見たもの。
【図１２】本考案〔図９〕の髪を止めた状態を側面から見たもの。
【図１】
0003148636.tif 000003
【図２】
0003148636.tif 000004
【図３】
0003148636.tif 000005
【図４】
0003148636.tif 000006
【図５】
0003148636.tif 000007
【図６】
0003148636.tif 000008
【図７】
0003148636.tif 000009
【図８】
0003148636.tif 000010
【図９】
0003148636.tif 000011
【図１０】
0003148636.tif 000012
【図１１】
0003148636.tif 000013
【図１２】
0003148636.tif 000014
(57)【要約】【課題】  温泉施設における給湯装置に関し、ボイラーやポンプなどの機械や動力を用いることなく真水温水を吐出することができるようにする。【解決手段】  本考案に於いては、熱交換器を設置する温泉水貯湯槽および真水温水吐出口よりも高い位置に設置された真水貯水槽１と、真水の流入口と流出口とが備わる熱交換器２と、該熱交換器を設置する温泉水貯湯槽３と、真水温水吐出口４から成り、該真水貯水槽１と該熱交換器２と該真水温水吐出口４はそれぞれパイプ５を介して一続きに接続され、熱交換器を設置する温泉水貯湯槽および真水温水吐出口と真水貯水槽との落差を利用した自然水圧によって該真水貯水槽１内の真水が該パイプ５内に導入されるとともに、該熱交換器２で該温泉水貯湯槽３内の温泉水熱と熱交換され、真水温水となって真水温水吐出口４から流れ出る構造とした。【選択図】図１
0003148632.tif 000002
【実用新案登録請求の範囲】
【請求項１】
熱交換器を設置する温泉水貯湯槽および真水温水吐出口よりも高い位置に設置された真水貯水槽と、真水の流入口と流出口とが備わる熱交換器と、該熱交換器を設置する温泉水貯湯槽と、真水温水吐出口から成り、該真水貯水槽と該熱交換器と該真水温水吐出口はそれぞれパイプを介して一続きに接続され、熱交換器を設置する温泉水貯湯槽および真水温水吐出口と真水貯水槽との落差を利用した自然水圧によって該真水貯水槽内の真水が該パイプ内に導入されるとともに、該熱交換器で該温泉水貯湯槽内の温泉水熱と熱交換され、真水温水となって真水温水吐出口から流れ出るようにしたことを特徴とした温泉施設における給湯装置の構造。
【考案の詳細な説明】
【技術分野】
【０００１】  本考案は、温泉施設における給湯装置に関するものである。
【背景技術】
【０００２】  従来より、温泉施設における給湯装置に於いては、洗顔や上がり湯などを行うために真水をボイラーで沸かし、ポンプで真水温水を吐出する構造のものが多く提案されている。
【考案の開示】
【考案が解決しようとする課題】
【０００３】  しかしながら、上述したような従来の方法では、ボイラーやポンプなどの機械や動力を稼動させなければ、洗顔や上がり湯などを行うための真水温水を吐出できないという問題点を有していた。【０００４】  本考案は、上記従来有する問題点に鑑み、温泉施設における給湯装置に関し、ボイラーやポンプなどの機械や動力を用いることなく真水温水を吐出することができるようにしようとするものである。
【課題を解決するための手段】
【０００５】  本考案に於いては、熱交換器を設置する温泉水貯湯槽および真水温水吐出口よりも高い位置に設置された真水貯水槽１と、真水の流入口と流出口とが備わる熱交換器２と、該熱交換器を設置する温泉水貯湯槽３と、真水温水吐出口４から成り、該真水貯水槽１と該熱交換器２と該真水温水吐出口４はそれぞれパイプ５を介して一続きに接続され、熱交換器を設置する温泉水貯湯槽および真水温水吐出口と真水貯水槽との落差を利用した自然水圧によって該真水貯水槽１内の真水が該パイプ５内に導入されるとともに、該熱交換器２で該温泉水貯湯槽３内の温泉水熱と熱交換され、真水温水となって真水温水吐出口４から流れ出る構造とした。
【考案の効果】
【０００６】  本考案によれば、温泉施設に於いて、洗顔や上がり湯などの真水温水を供給するためのボイラーやポンプなどの機械や動力を必要とせず、経済的かつ簡便な給湯装置の構造とすることができる。
【考案を実施するための最良の形態】
【０００７】  以下、本考案の実施の形態について、図面を参照して説明する。
図１に示すように、本考案に於いては、熱交換器を設置する温泉水貯湯槽および真水温水吐出口よりも高い位置に設置された真水貯水槽１と、真水の流入口と流出口とが備わる熱交換器２と、該熱交換器を設置する温泉水貯湯槽３と、真水温水吐出口４から成り、該真水貯水槽１と該熱交換器２と該真水温水吐出口４はそれぞれパイプ５を介して一続きに接続され、熱交換器を設置する温泉水貯湯槽および真水温水吐出口と真水貯水槽との落差を利用した自然水圧によって該真水貯水槽１内の真水が該パイプ５内に導入されるとともに、該熱交換器２で該温泉水貯湯槽３内の温泉水熱と熱交換され、真水温水となって真水温水吐出口４から流れ出る構造とした。
【図面の簡単な説明】
【０００８】
【図１】  本考案による温泉施設における給湯装置の構造の実施例を示した概略図である。
【符号の説明】
【０００９】    １    真水貯水槽
２    熱交換器
３    温泉水貯湯槽
４    真水温水吐出口
５    パイプ
６    浴槽
【図１】
0003148632.tif 000003
(57)【要約】      （修正有）【課題】肩の痛みを軽減し、誰もが使用できて祭りに多くの人が参加できるようにした御輿専用肩当を提供する。【解決手段】耐水性で汗が浸み込まず、軽くて抗菌、防かび仕様の発泡体を使用し、肩と首に密着させるベルトに長さ調節機能を付けたことを特徴とする肩当である。使用の際は体に直接付けるのではなく、肌着または法被等の上に付けるのが望ましい。【選択図】図１
0003148633.tif 000002
【実用新案登録請求の範囲】
【請求項１】
神輿担ぎの際に肩の痛みを軽減し、汗を浸み込まず（耐水性）軽くて抗菌、防かび仕様の発泡体を使用し、肩と首に密着させるベルトに長さ調節機能を付けた肩当。
【考案の詳細な説明】
【技術分野】
【０００１】本考案は、お祭りの神輿担ぎ手を増やし、祭りを盛り上げるためのものである。
【背景技術】
【０００２】神輿担ぎは高齢化、肩の痛み等により、担ぎ手が減り、祭りが盛り上がらない状況にあり、誰もが楽しく神輿を担げる専用肩当が欲しいという要望が多数寄せられていた。【０００３】従来、ある地域では神輿担ぎの際の肩当を座布団のようなもので代用していたが汗が綿に浸み込み、重く、臭く不衛生で洗濯も家庭でできず敬遠されていた。【０００４】この解決策として抗菌、防かび、耐水性の発泡体（スポンジ）［図２］Ａで肩の痛みを軽減し、それを包む袋［図１］Ｂに誰もが使用できるようにベルト［図１］Ｃに長さ調節機能バックル［図１］Ｄを付けた。【０００５】更に、バックル［図１］Ｄを左右両方に付けることにより左右関係なく、どちらの肩にも使用可能とし誰もが楽しく祭りに参加できるようになる。【０００６】中の発泡体（スポンジ）［図２］Ａの出し入れ、交換を可能にするため袋［図１］Ｂに面ファスナー［図１］Ｅを使用し、袋は家庭でも洗濯可能にした。【０００７】袋の肩に当たる部分に滑り止め防止生地［図１］Ｆを縫いつけることにより強度面も増した。【０００８】この神輿専用肩当の製造は鞄の国内最大産地の豊岡市で鞄縫製技術と鞄材料を利用して可能である。
【考案の開示】
【考案が解決しようとする課題】
【０００９】解決しようとする問題点は、発泡体を体に違和感無く密着させる方法と強度面である。
【課題を解決するための手段】
【００１０】本考案は、発泡体とその袋を肩に合う形状にし、袋を丈夫な生地に変更することで可能。
【考案の効果】
【００１１】本考案の神輿専用肩当は、肩の痛みを軽減し、誰もが使用できるため祭りに多くの人が参加できる。
【考案を実施するための最良の形態】
【００１２】使用の際は、体に直接付けるのではなく、肌着または法被等の上に付けるのが望ましい。
【産業上の利用可能性】
【００１３】建築現場等での荷役作業肩当として生地素材を変更することで転用可能。
【図面の簡単な説明】
【００１４】
【図１】  神輿専用肩当の裏側を示した説明図である。
【図２】  袋に入っている発泡体（スポンジ）の説明図である。
【符号の説明】
【００１５】Ａ  発泡体（スポンジ）
Ｂ  袋
Ｃ  ベルト
Ｄ  バックル
Ｅ  面ファスナー
Ｆ  滑り止め防止生地
【図１】
0003148633.tif 000003
【図２】
0003148633.tif 000004
(57)【要約】      （修正有）【課題】仮設金網フェンス等構造材の結束をより安全に手早く低コストに設置できる構造材結束金具を提供する。【解決手段】保持金具１，２の端部を、構造材５，６，７の外径寸法に合わせて湾曲させて製作する。使用時には、保持金具１，２の湾曲部を構造材５，６，７の長さ方向に当接させ、保持金具１，２をボルト３とナット４により締め上げて結束する。【選択図】図１
0003148634.tif 000002
【実用新案登録請求の範囲】
【請求項１】
仮設用金網フェンス等構造材を複十字状に結束する金具で、より安定した保持をするために先端を湾曲させその大きさは構造材の大きさにより定める、構造材結束金具。
【考案の詳細な説明】
【技術の分野】
【０００１】  本考案は仮設用金網フェンス等を並べて設置する場合の補助金具に関する。
【背景技術】
【０００２】  従来仮設金網フェンス等は、紐や針金等により結束されていた。
【考案の開示】
【考案が解決しようとする課題】
【０００３】  しかし、これまでは、針金等の先端でけが等があり、又、結束に手間と時間がかかった。
【課題を解決するための手段】
【０００４】  そこで、ボルトと本考案の金具を使用する事により（図１）、安定した、危険と手間の時間を少なくした結束が出来る。（図２、図３）。
【考案の効果】
【０００５】  よって、本考案の構造材結束金具と補助パイプを使用する事により安全で安定した金網フェンス等の設置が出来る。
【考案を実施するための最良の形態】
【０００６】  本考案に係る保持金具１及び２は、図２及び図３で示すように、構造材５，６，７を保持金具１及び２の先端を湾曲させた部分で、保持し固定させるために安定した設置が出来る、又、構造材５，６，７の大きさによって保持金具の大きさや湾曲部分は決めればよい。
【図面の簡単な説明】
【０００７】
【図１】  本考案に係る仮設金網フェンス等構造材保持金具の、組み立て分解図である。
【図２】  本考案に係る仮設金網フェンス等構造材保持金具の、組み立て時側面図である。
【図３】  本考案に係る仮設金網フェンス等構造材保持金具の、組み立て時平面図である。
【符号の説明】
【０００８】１        縦軸の保持金具
２        横軸の保持金具
３        組み立て用ボルト
４        組み立て用ナット
５        仮設金網フェンス等構造材縦軸
６        仮設金網フェンス等構造材縦軸
７        仮設金網フェンス等構造材横軸
0003148634.tif 000003
【手続補正書】
【提出日】平成20年12月13日(2008.12.13)
【手続補正１】
【補正対象書類名】図面
【補正対象項目名】全図
【補正方法】変更
【補正の内容】
【図１】
0003148634.tif 000004
【図２】
0003148634.tif 000005
【図３】
0003148634.tif 000006
(57)【要約】      （修正有）【課題】手の不自由な身障者が、食器類、その他の生活用品を、指を曲げない状態でも把持できるように、食器の柄部を曲折して波状にした湾曲部の表面と裏面に手の指を各々の挟むことで容易に食器類を把持できるように形成した他、生活用品類の側面に厚さ約１〜３ミリ、幅は約３〜８ミリの板を波状に形成した湾曲部の表面と裏面に各々の手の指を挟み容易に把持できる把持用自助具を提供する。【解決手段】食器類の柄部や、生活用品の把持部に、示指５と中指６および薬指７等を挟められる程度に波状の把持部を形成して、手の不自由な身障者でも食器類、その他の生活用品を容易に把持できる把持用自助具である。【選択図】図２
0003148653.tif 000002
【実用新案登録請求の範囲】
【請求項１】
スプーンやフォーク類の柄を曲折して波状部を３〜４カ所設け、各々の湾局部の表面と裏面に、示指、中指、薬指等を挟まれる程度に形成したことを特徴とする把持用自助具。
【請求項２】
食器類や生活用品の把持部に、手の指を挟んだ状態で把持できる波状の把持部を形成し、波状にした湾曲部の表面と裏面に示指、中指、薬指等を挟めるようにしたことを特徴とする把持用自助具。
【請求項３】
把持部を脱着できる構造にしたことを特徴とする請求項２に記載の把持用自助具。
【考案の詳細な説明】
【技術分野】
【０００１】  本考案は、身障者や怪我で食飲時にフォークや箸、食器や、生活用品を把持でき難い人でも容易に把持できるように考案したものである。
【背景技術】
【０００２】  身障者で、手の指を自在に動かせない人のために、スプーンやフォークの柄にスポンジーの筒を挿入して握って使用するが、握力が下がるとスプーンやフォークをよく握れない身障者がある。また、生活用品を把持でき難たかった。
【考案の開示】
【考案が解決しようとする課題】
【０００３】  従来、身障者が食事中に思うように把持できるスプーンやフォークその他、生活用用品を容易に把持できるものを要望されている。
【課題を解決するための手段】
【０００４】  本考案は、前記のスプーンやフォークその他、生活用品を把持でき難い身障者でも容易に把持できる食器や生活用品を提供することが、技術的課題である。
【考案の効果】
【０００５】  上述の様に、本考案は、スプーンやフォークまた、食器類や生活用品を、指を曲げない状態でも把持できるように、フォーク類の柄を指を挟む曲折部を設けた。
また、生活用品の側面に、厚さ約１〜３ミリ、幅は約３〜８ミリの板を波状に形成した湾曲部の各々の表面と裏面に手の指を自然の状態で挟むことを可能としたもので、左手でも右手でも容易に食器類や生活用品を把持できる。
【考案を実施するための最良の形態】
【０００６】  スプーンやフォーク類の柄を、曲折して波状に形成した各々の湾曲部に交互に示指、中指、薬指等を挟めてスプーンやフォークを把持できることを特徴とする請求項１記載の把持用自助具に係わるものである。
コップ類は、コップの側面を波状の把持部を形成することによって、各々の湾曲部に交互に示指、中指、薬指等を挿入してコップ類を把持できることを特徴とする請求項目２に記載の食器類の把持用自助具に係わるものである。
また、生活用品は、把持部と一体化形成の他、波状の把持部を脱着型に形成することを特徴とする請求項３に記載の生活用品の把持用自助具に係わるものである。
【実施例】
【０００７】  本考案の一実施例は、上述の如き構成からなるものであるから、図２及び図４に示すように１フォーク及び２コップも自然の状態で９把持部の５ａに５示指、６ａに６中指、７ａに７薬指等を挟むだけで、スプーン類やコップも生活用品を把持できる。また、スプーン類は挟む角度によって、スプーン等の先を手前に向けることも容易にできる他、脱着型の把持部は、使用者の容態に応じた位置に接合する。
【図面の簡単な説明】
【０００８】
【図１】  本考案の実施例であるフォークの柄を波状にした斜視図である。
【図２】  本考案の実施例である右手でフォークを把持した斜視図である。
【図３】  本考案の実施例であるコップの斜視図である。
【図４】  本考案の実施例であるコップを右手で把持した実施例である。
【図５】  本考案の実施例で脱着できる把持用自助具の斜視図である。
【符号の説明】
【０００９】    １    フォーク
２    コップ
３    柄
４    母指
５    示指
５ａ  示指の挿入部
６    中指
６ａ  中指の挿入部
７    薬指
７ａ  薬指の挿入部
８    小指
９    把持部
１０    右手
【図１】
0003148653.tif 000003
【図２】
0003148653.tif 000004
【図３】
0003148653.tif 000005
【図４】
0003148653.tif 000006
【図５】
0003148653.tif 000007
(57)【要約】      （修正有）【課題】建築模型や立体製品・商品等立体物を奥行きの広い展示台面の額縁に展示し、壁に掛けることの出来るデザイン額縁を提供する。【解決手段】模型や商品見本など立体物品を額縁に納めて展示すべく、底面と開口部を持つ箱体を製作し、該開口部を正面に向けて配置して、額縁ボックス２を構成する。デザイン額縁１を該開口部に沿って取りつけ、該額縁ボックス２の内部に立体物設置基台３を水平に配設し、該立体物設置基台３の上面をデザイン額縁１の面より手前にせり出させる。該立体物設置基台３の下部に額縁ボックス２の底面３ａとの間に引き出しを配置して、デザイン額縁全体としての強度向上を図ると共に、収納スペースとして活用する。【選択図】図３
0003148658.tif 000002
【実用新案登録請求の範囲】
【請求項１】
厚み（深さ）のある額縁の下部に立体物品を固定設置する基台をかねた引出し箱を有する立体美術額縁
【考案の詳細な説明】
【技術分野】
【０００１】  本考案は厚み（深さ）のある額縁の下部に引出し付立体美術額縁に関する。
【背景技術】
【０００２】  従来の深い額縁は、背面に物を固定するように出来ていて、立体的な建造物（神殿）、ジオラマ、模型などをセットするのに不向きである。
【考案の開示】
【考案が解決しようとする課題】
【０００３】  額縁の外観のデザインを重視しながら、複数の立体物を安定固定できる基台をいかに内蔵するかが課題である。
【課題を解決するための手段】
【０００４】  額に複数の立体物のセットなどの内装展示を可能にするため、前方に少しせり出し、基台平面積を広くし、また重量に耐えるように基台を箱型にし強化して、内部に引出しを設けて、利用価値を高めて課題を解決した。
【考案の効果】
【０００５】  本考案は、額縁に奥行きのある展示台を引出し箱式として、重量に耐えうる基台を設ける事により、建築模型や箱庭、ジオラマ、置物などを立体画のように厚み額縁に内蔵し、壁に掛け観ることにより、置き場の有効活用が出来、心を癒す効果がある。
【考案を実施するための最良の形態】
【実施例】
【０００６】  本考案の図面に従って説明する、（図１）は厚さ（深み）のある引出し付立体美術額縁上方前面図で１デザイン額縁２額縁ボックス３立体物設置基台４引出し前面板５引出し取っ手金具（図２）３ｃの側面板。【０００７】  （図３）外観構造断面図で組立て構造を簡単に説明すると、初めに３立体物設置基台の製作に３基台表面板、３ａ底面板、３ｂ後面板、６側面板とで引出しの外箱兼用立体物設置基台を製作して、次に中に入る引出しを４引出し前面板に４ａ底面板、４ｂ側面板４ｃ後面板を組立て５取っ手金具を取付け外箱にセットして３立体物設置基台兼引出し箱の完成。【０００８】  ３立体物設置基台兼引出し箱を土台にして、２ａ額縁ボックス上面板、２ｂ側面、３ｃ底面板、２ｄ背面板で組立て最後に１デザイン額縁の飾りを取付け、強度のある厚い（深い）引出しのある立体物設置基台額縁の完成。
設置物は、建築模型・模型製品・商品見本・試作品・ジオラマ・ミニ箱庭・ミニ盆栽など、いろいろな商品物や癒し物の展示により、心の安らぎと癒し効果がある。
【図面の簡単な説明】
【０００９】
【図１】  厚さ（深み）のある引出し付立体美術額縁上方正面図
【図２】  側面図
【図３】  外観構造断面図
【符号の説明】
【００１０】  １デザイン額縁
２額縁ボックス
２ａボックス上面板
２ｂボックス側面板
２ｃボックス底面板
２ｄボックス背面板
３基台表面板
３ａ基台底面板
３ｂ基台後面板
３ｃ基台側面板
４引出し前面板
４ａ引出し底面板
４ｂ引出し側面板
４ｃ引出し後面板
５取っ手金具
【図１】
0003148658.tif 000003
【図２】
0003148658.tif 000004
【図３】
0003148658.tif 000005
(57)【要約】      （修正有）【課題】炎天下での直射日光によるヘルメットの加熱からヘルメット内部の温度上昇を抑制するヘルメット日射熱冷却カバーを提供する。【解決手段】上部に透湿性のあるシートを用いた袋に吸水したスポンジを入れて構成されるヘルメット日射熱冷却袋を用いて、水の気化を利用して温度を下げ、裾の部分に遮熱シートを用いたカバーを付けた本体をヘルメットに被せて、ヘルメット表面の温度の上昇を押さえ、ヘルメット内部を冷却する簡易なヘルメット日射熱冷却カバーを形成するものである。【選択図】図２
0003148660.tif 000002
【実用新案登録請求の範囲】
【請求項１】
ヘルメットに被せて水の気化を利用して直射日光による過熱からヘルメット内部の温度上昇を抑えるため、裾の部分に遮熱性のある織物或いは合成樹脂シートをお椀状に縫製又は圧着するのに適した形状と大きさに裁断し、縫製又は圧着でお椀状に形成するとともに、上部に吸水性のスポンジ材を手軽に出し入れできる透湿性シートで形成する日射熱冷却袋を有する構造を特徴とするヘルメット日射熱冷却カバー。
【考案の詳細な説明】
【技術分野】
【０００１】  本考案は、炎天下での直射日光によるヘルメットの加熱からヘルメット内部の温度上昇を抑制する用途に使用するヘルメットカバーに関するものである。
【背景技術】
【０００２】  従来は、真夏での屋外作業での直射日光を避けるため、ヘルメットの裾に日除けを設けたものや断熱材入りのカバーを取り付けた構造のヘルメットカバーが認められる。このような用例としては、特許公開１９９７−２２８１３５、特許公開２０００−３４６４２２がある。日除けの布や断熱材は直射日光を遮断する効果があるものの、ヘルメット内部の温度は高くなる。
【考案の開示】
【考案が解決しようとする課題】
【０００３】  本考案は、透湿性のあるシート用いた袋に水を吸水させたスポンジを入れ、スポンジからの水の漏れをなくし、且つ水の気化を容易にすることでヘルメット内部の冷却を行うヘルメット日射熱冷却袋と裾の部分に遮熱性のある織物並びに合成樹脂シートをお椀状に縫製又は圧着するのに適した形状と大きさに裁断し、縫製又は圧着して、上部のヘルメット日射熱冷却袋と接合し、真夏の炎天下で使用するヘルメットに被せて水の気化を利用して直射日光による過熱からヘルメット内部の温度上昇を抑えことのできる簡易なヘルメット日射熱冷却カバーを提供しようとするものである。
【課題を解決するための手段】
【０００４】  その解決手段を図面を追いながら説明すると。
図１で示すように、遮熱シートをお椀状に縫製又は圧着するのに適した形状と大きさに裁断し、縫製又は圧着して（１）のようにヘルメットの裾部の形状を作成する。次に、透湿性シートを円形に２枚裁断し、周囲を縫製又は圧着し、片方の中央部に（２）のようにファスナーを用いて開閉が可能な（３）の日射熱冷却袋の本体を形成する。（１）の裾の部分と（３）の袋部分を接合する。さらに、ヘルメットとの脱着を容易にするためマジックテープ（登録商標）を（４）のように内側に何箇所か縫い付ける。（２）のファスナー部分を開けて吸水させたのスポンジを挿入すると真夏の炎天下で使用するヘルメットに被せて水の気化を利用して直射日光による過熱からヘルメット内部の温度上昇を抑えことのできる簡易なヘルメット日射熱冷却カバーとすることができる。
【考案の効果】
【０００５】  本考案では、真夏の炎天下での作業で過酷な温度条件となるヘルメットに被せて水の気化を利用して直射日光による過熱からヘルメット内部の温度上昇を抑えることで、屋外での作業条件の緩和を図るとともに、身体に対する日射病などの予防に役立ち、疲労を和らげ労働効率を高めることができる。従来は、日光を遮断するのみであるが、水の気化による冷却で日光の遮断だけの場合よりもヘルメット内の温度を低く保つことができる。
【本考案を実施するための最良の形態】
【０００６】  本考案は、図１に示すように、上部（３）の透湿性のあるシートを用いた袋に吸水したスポンジを入れて構成されるヘルメット日射熱冷却袋に、（１）のようにおわん状に遮熱シートを形成してヘルメットに取り付け可能なマジックテープ（商標名）を内側に縫い付けることで簡易なヘルメット日射熱冷却カバーとなる。
【実施例】
【０００７】  本考案の実施に当たっては、上部の透湿性のあるシートを用いた袋に吸水したスポンジを入れて構成されるヘルメット日射熱冷却袋のみをヘルメットや帽子内に入れて用いることも可能である。また、遮熱シートで形成される裾の部分と接合させてヘルメットにかぶせると簡易なヘルメット日射熱冷却カバーとして形成することができる。
【図面の簡単な説明】
【０００８】
【図１】本考案の本体部分の斜視図である。
【図２】本考案の本体上部の断面図と全体の斜視図である。
【図３】本考案のヘルメット装着例の斜視図である。
【符号の説明】
【００１０】  １  本体の遮熱シートで形成する裾の部分
２  上部の袋部の開閉に用いるファスナー
３  上部の透湿性シートで形成する袋部分
４  ヘルメットに脱着するマジックテープ部分
５  吸水させるスポンジ部分
【図１】
0003148660.tif 000003
【図２】
0003148660.tif 000004
【図３】
0003148660.tif 000005
(57)【要約】      （修正有）【課題】アレルギーを引き起こしたり、眼球を傷つけることがない漸進式包覆型コンタクトレンズを提供する。【解決手段】コンタクトレンズ１０は三層の包覆型で、上下層レンズ１１、１３は軟質透明構造で、中間層は着色剤１２である。中間層はドット状の着色剤１２を分布して、濃さが異なる環円を形成し、ドットにより、装着者の自然美を増加することができる。着色剤１２を含む固化した下層レンズ１３の下型を第三模板上に配置し、度数のある流動上層レンズ剤を、固化した下層レンズ１３内に注入し、同時に、着色剤１２を包覆すると共に、上型で下型を被覆する。上型下方の円形凸塊は、下型の凹槽内に蓋置されると共に、固化成型していない上層レンズ１１上方に蓋置する。レンズ製造機の調剤、圧合、反応、及び、型抜きの後、コンタクトレンズ１０が完成する。着色剤は、装着者の眼球に直接接触しないのでアレルギーを引き起こす恐れはなくなる。【選択図】図１
0003148693.tif 000002
【実用新案登録請求の範囲】
【請求項１】
漸進式包覆型コンタクトレンズであって、上下層レンズ間に着色剤を包覆し、前記着色剤がドット状で分布した環円で、内から外に漸進式の分布構造をなすことを特徴とする漸進式包覆型コンタクトレンズ。
【考案の詳細な説明】
【技術分野】
【０００１】
本考案は、漸進式包覆型コンタクトレンズに関するものであって、特に、カラーコンタクトレンズは、着色剤を中間層に包覆し、着色剤が直接眼球に接触するのを防止するコンタクトレンズに関する。
【背景技術】
【０００２】
カラーコンタクトレンズは、透明のコンタクトレンズに、パッド印刷（printing pad）により着色剤をコンタクトレンズ内に転移させ、装着者の眼球の色を変化させる以外に、虹彩のクリア度を増加させることができ、目を大きく見せる効果がある。しかし、着色剤をコンタクトレンズ内で固化させた後、着色剤が色落ちしてアレルギーを引き起こしたり、眼球に直接接触すると、眼球が傷つくこともある。
【考案の開示】
【考案が解決しようとする課題】
【０００３】
本考案の目的は、漸進式包覆型コンタクトレンズを提供し、主に、パッド印刷で転移する着色剤を、上下層レンズ内に包覆し、着色剤が直接装着者の眼球に接触し、アレルギーを引き起こしたり、眼球を傷つけることを防止することにある。
【０００４】
本考案のもう一つの目的は、漸進式包覆型コンタクトレンズを提供し、コンタクトレンズ中間の着色剤はドット状の環円を分布し、ドットの分布が装着者の自然美を増加する効果を達成することである。
【課題を解決するための手段】
【０００５】
本考案の漸進式包覆型コンタクトレンズは、三層の包覆型コンタクトレンズで、主に、上下層レンズ間に着色剤を包覆し、着色剤はドット状の環円を分布する。
【考案の効果】
【０００６】
カラーコンタクトレンズの着色剤の色落ちで、装着者がアレルギーを起こしたり、眼球が傷ついたりするのを防止する。
【考案を実施するための最良の形態】
【０００７】
図１は、本考案のコンタクトレンズ１０を示す図で、コンタクトレンズ１０は三層の包覆型で、上下層レンズ１１、１３は軟質透明構造で、中間層は着色剤１２である。中間層はドット状の着色剤１２を分布して、濃さが異なる環円を形成し、ドットにより、装着者の自然美を増加することができる。
【０００８】
図２〜図４は、本考案のコンタクトレンズ１０の製作過程を示す図である。図２を参照すると、まず、下型２０を第一模板１００上に配置し、下型２０頂端は円形凹槽２１を有する。金型機械上の第一パッド１０１は下層レンズ１３の材料を下型２０の凹槽２１内に転移させ、反応槽で固化成型する。
【０００９】
図３のように、その後、固化した下層レンズ１３を有する下型２０を第二模板２００上に配置し、金型機械上の第二パッド２０１は、着色剤１２を固化した下層レンズ１３上に塗布し、ドット状の環円を形成する。着色剤１２は反応槽で乾燥、定位する。
【００１０】
図４のように、着色剤１２を含む固化した下層レンズ１３の下型２０を第三模板３００上に配置し、度数のある流動上層レンズ剤を、固化した下層レンズ１３内に注入し、同時に、着色剤１２を包覆すると共に、上型３０で下型２０を被覆する。上型３０下方の円形凸塊３１は、下型２０の凹槽２１内に蓋置されると共に、固化成型していない上層レンズ１１上方に蓋置する。レンズ製造機の調剤、圧合、反応、及び、型抜きの後、最後に、水和設備による洗浄で、図１のようなコンタクトレンズ１０が完成する。
【００１１】
また、上述の製造工程は、主に、含水度が３８％の二週間使い捨て型コンタクトレンズを生産する。
【００１２】
本考案の漸進式包覆型コンタクトレンズは、着色剤が上下層レンズ内に包覆され、着色剤がレンズ上でドット分布状の漸進型構造であり、装着者の自然美を増加する効果がある。
【図面の簡単な説明】
【００１３】
【図１】本考案の立体図である。
【図２】本考案の製造工程図（１）である。
【図３】本考案の製造工程図（２）である。
【図４】本考案の製造工程図（３）である。
【符号の説明】
【００１４】
１０    コンタクトレンズ
１１    上層レンズ
１２    着色剤
１３    下層レンズ
２０    下型
２１    凹槽
３０    上型
３１    凸塊
１００  第一模板
１０１  第一パッド
２００  第二模板
２０１  第二パッド
３００  第三模板
【図１】
0003148693.tif 000003
【図２】
0003148693.tif 000004
【図３】
0003148693.tif 000005
【図４】
0003148693.tif 000006
(57)【要約】      （修正有）【課題】布体の組み合わせ工程で摩損しないベビーベッド柱体と布体固設構造を提供する。【解決手段】骨架１と固定棒２から成り、骨架は柱体１１と固定ブロック１２を組み合わせてなり、柱体一側は細長い組合槽を設置する。組合槽は固定棒を固定する。固定ブロックは柱体上端に設置され、固定棒の脱落を防止する。固定棒の外観は円柱形で柱体の組合槽と組設し、固定棒外縁に凸片を設置し、凸片は布体２２を固定する。以上により、固定棒２を組合漕１１１内に組設する際に、布体が摩損する事を防止できる。【選択図】図１
0003148694.tif 000002
【実用新案登録請求の範囲】
【請求項１】
ベビーベッド柱体と布体固設構造であって、骨架と、固定棒と、からなり、
前記骨架は柱体と固定ブロックからなり、前記柱体内側は組合槽を設置して前記固定棒と組設し、前記固定ブロックは前記柱体上端で固定と連接の作用を有し、
前記固定棒の外観は円柱形で、前記固定棒外縁は凸片を有して、前記布体と連接することを特徴とするベビーベッド柱体と布体固設構造。
【請求項２】
前記骨架の柱体は、内側に二組合槽を設置し、左右両辺に分かれ、組設時に直角が生成されるのを防止し、乳幼児が活動時に前記凸片にぶつからないようにすることを特徴とする請求項１に記載のベビーベッド柱体と布体固設構造。
【考案の詳細な説明】
【技術分野】
【０００１】
本考案は、ベビーベッド柱体と布体固設構造に関するものであって、骨架と固定棒とからなり、ベビーベッドの四面の布体の組み合わせに用いる固設構造に関する。
【背景技術】
【０００２】
公知の簡易式ベビーベッドは、底座と、底座と結合する座布からなり、底座は複数の棒からなり、各棒は、棒内の中空部、及び、棒側壁で、棒の長さ方向に延伸し、中空部を連通する開槽を有する。座布は、複数の棒の中空部内に挿入する定位棒、及び、定位棒と連接し、棒の開槽を通過し、外の露出する布体を有する。布体は開槽内に設置されるので、布体の装着、取り外し時に摩損が生じやすく、布体は長期使用ができない。また、定位棒用の布体は開槽内に被覆設置されるので、布体の張力によって、定位棒が開槽内から突出しやすい。
【考案の開示】
【考案が解決しようとする課題】
【０００３】
本考案の目的は、布体の組み合わせ工程で、摩損しないベビーベッド柱体と布体固設構造を提供することにある。
【０００４】
本考案のもう一つの目的は、本体一側に設置された細長い組合槽は、固定棒と組み合わせ固定でき、固定棒外縁に凸片を設置し、効果的に布体を固定し、布体が摩損しにくい構造を提供することにある。
【課題を解決するための手段】
【０００５】
本考案の構造は、骨架、固定棒、からなる。骨架は、柱体と固定ブロックを組み合わせてなり、柱体一側は細長い組合槽を設置する。組合槽は固定棒を固定する。固定ブロックは、柱体上端に設置され、固定棒の脱落を防止する。固定棒の外観は円柱形で、柱体の組合槽と組設し、固定棒外縁に凸片を設置し、凸片は布体を固定して、布体は装着時に摩損しにくい。
【考案の効果】
【０００６】
本考案により、布体は装着時に摩損しにくい。
【考案を実施するための最良の形態】
【０００７】
図１、図２を参照すると、本考案の構造は、骨架１、固定棒２、からなる。
【０００８】
骨架１は、柱体１１と固定ブロック１２を組み合わせてなり、柱体１１一側は細長い組合槽１１１を設置する。組合槽１１１は固定棒２を固定する。固定ブロック１２は、柱体１１上端に設置され、固定棒２の脱落を防止する。
【０００９】
固定棒２の外観は円柱形で、柱体１１の組合槽１１１と組設し、固定棒２外縁に凸片２１を設置し、凸片２１は布体２２を固定して、布体２２は組み立て時に摩損しにくい。
【００１０】
図２、図３で示されるように、ベビーベッドの柱体と布体固設構造を組み立てる時、まず、固定棒２の布体２２と凸片２１を予め連接し、布体２２と組み合わせておいた固定棒２を骨架１の柱体１１の組合槽１１１内に組設し、最後に、固定ブロック１２を柱体１１上端に設置し、固定棒２が脱落しないようにする。また、図４、図５で示されるように、骨架１の柱体１１は内側に二組合槽１１１を設置し、左右両辺に分かれ、組設時に直角が生成されるのを防止し、乳幼児が活動時に、凸片２１にぶつからないようにする。
【００１１】
本考案は、固定棒２に凸設された凸片２１により布体２２を固定し、布体２２は、固定棒２を組合槽１１１内に組設する際の摩損を防止することができる。
【図面の簡単な説明】
【００１２】
【図１】本考案の素子分解図である。
【図２】本考案の局部素子分解図である。
【図３】本考案の組み合せ断面図である。
【図４】本考案のもう一つの素子の分解図である。
【図５】本考案のもう一つの組み合わせ断面図である。
【符号の説明】
【００１３】
１        骨架
１１      柱体
１１１    組合槽
１２      固定ブロック
２        固定棒
２１      凸片
２２      布体
【図１】
0003148694.tif 000003
【図２】
0003148694.tif 000004
【図３】
0003148694.tif 000005
【図４】
0003148694.tif 000006
【図５】
0003148694.tif 000007
(57)【要約】      （修正有）【課題】紙を撚った紙紐を並接して厚く、立体的なシートを作り、これを建材、カバン生地、インテリア等の広い分野で使用できるようにしようとするものであり、加えて廃棄物としての処理も公害発生の少ない方法でできる紙紐シートを提供する。【解決手段】複数本の紙紐を接着剤を介し並列接着させて紙バンドを形成し、この紙バンドの複数本を並列させた裏面に裏布を貼り合わせ、隣接する紙バンド間には継ぎ布を裏布と共に逢着させてなる紙紐シートである。【選択図】図１
0003148676.tif 000002
【実用新案登録請求の範囲】
【請求項１】
複数本の紙紐を接着剤を介し並列接着させて紙バンドを形成し、この紙バンドの複数本を並列させた裏面に裏布を貼り合わせ、隣接する紙バンド間には継ぎ布を裏布と共に逢着させてなる紙紐シート。
【考案の詳細な説明】
【技術分野】
【０００１】
本考案は多数の紙紐を並列に接着した紙紐シートに関する。
【背景技術】
【０００２】
従来建材、カバン等に使用されるものは、合成樹脂フィルム、革材等平面的な素材が使用されているが、平面的で趣向に乏しく、殊に合成樹脂フィルム等の廃棄物としての処理方法では公害の発生原因となる恐れがある等社会問題となっている。
又紙シートの場合は強度的にも弱く使用目的が限定されることが多い。
【考案の開示】
【考案が解決しようとする課題】
【０００３】
そこで本考案では、紙を撚った紙紐(太さ１ｍｍ位。)を並接して厚く立体的なシートを作り、これを建材、カバン生地、インテリア等の広い分野で使用できるようにしようとするものであり、加えて廃棄物としての処理も公害発生の少ない方法でできるようにしようとするものである。
ところがこの紙紐の多数を接着剤を介し並接して幅広（例えば１０ｃｍ以上）に作ることは困難で、紙紐の太さや本数にもよるがせいぜい２〜３ｃｍ幅が限界であり、それ以上幅広にするためにはより一層加工が難しくなり、不良率も高く、量産は不可能である。
【課題を解決するための手段】
【０００４】
複数本の紙紐を接着剤を介し並列接着させて紙バンドを形成し、この紙バンドの複数本を並列させた裏面に裏布を貼り合わせ、隣接する紙バンド間には継ぎ布を裏布と共に逢着させてなる紙紐シートである。
【考案の効果】
【０００５】
本考案の効果として、厚く立体的なシートとなり、引っ張り強度に対しては一層強いものとなり、これを建材、カバン生地、インテリア等の広い分野で使用でき趣向に富んだ素材として期待でき、加えて廃棄物としての処理も殆どが紙の焼却処理か再生処理も可能で公害発生の少ないものとして有益である。
裏打ちすることにより紙紐の横方向への引っ張り強度も増し、曲げ加工などが必要となるハンドバッグや小物入れ等の生地として利用の発展が期待できる。
紙紐を並列接着させた紙バンド間には継ぎ布を裏布と共に逢着してあるので、全体を紙紐の並列方向に折り曲げても紙バンドの端は突出等したりすることなく均一に曲がり、このシートを使ってのカバン等の製品の仕上がりも良く、使用に際しての体裁がよい。
更に紙紐に色付けすることによりいろんな線状の配色を創作でき斬新な素材として利用できる。
【実施例】
【０００６】
細長い紙を撚った太さ１ｍｍ前後の紙紐１，１…の複数本(例えば３２本位)を接着剤(接着手段としてはどぶ付け、塗布などがある。)を介し並列接着させて約３６ｍｍ幅の比較的広幅の紙バンド２，２…を形成し、この紙バンド２，２の複数本を並列させた裏面（片面に）裏布３を接着剤を介して貼り合わせ、他方の表面の隣接する紙バンド２，２間には革、合成樹脂布、布製等で平紐状の継ぎ布４を互いの紙バンド２，２間に掛かるようにし裏布３と共に糸５により逢着させる。紙紐１，１…の太さ、本数や、紙バンド２，２…の幅や枚数は生地としての使用目的により任意にできる。
【０００７】
前述のように、紙紐１、紙バンド２の太さ、本数、幅などは使用目的によって変更できが、あまり紙紐１を細くすると接着装置の引っ張りに耐えることができなくなる恐れがあり、又紙バンド２，２の並接枚数も使用目的により加減できる。建材としての巾木に使用とかバッグ生地として使用などする場合は巾木、バッグの幅にに合わせた紙紐シートを作ればよい。勿論巾木、バッグなどの巾に合わせて切断して使用しても良い。
【図面の簡単な説明】
【０００８】
【図１】本考案の紙紐シートの拡大説明図
【符号の説明】
【０００９】
１：紙紐
２：紙バンド
３：裏布
４：継ぎ布
５：糸
【図１】
0003148676.tif 000003